(57)【特許請求の範囲】
【請求項１】
５価のニオブ化合物と、（Ｒ）−体又は（Ｓ）−体からなり光学活性なビナフトール構造を含むトリオール又はテトラオールとを混合してなる不斉反応用触媒であって、不斉マンニッヒ型反応、エポキシドの不斉開環反応、不斉アリル化反応、不斉シアノ化反応、又は不斉アルキル化反応に用いられる不斉反応用触媒。
【請求項２】
前記ニオブ化合物が式
ＮｂＸ５
（式中、Ｘはアルコキシドまたはハロゲン原子を表す）で表される請求項１記載の不斉反応用触媒。
【請求項３】
前記トリオールは式Ｉ
【化１】
0004663629.tif 000026
で表される（式中、Ｙは２価の炭化水素基を表し、Ｒ１は水素原子、ハロゲン原子、炭素数４以下のパーフルオロアルキル基、又は炭素数４以下のアルキル基若しくはアルコキシ基を表す）請求項１又は２記載の不斉反応用触媒。
【請求項４】
前記トリオールは式II
【化２】
0004663629.tif 000027
（式中、Ｒ１は水素原子、ハロゲン原子、炭素数４以下のパーフルオロアルキル基、又は炭素数４以下のアルキル基若しくはアルコキシ基を表し、Ｒ２は水素原子または炭素数１〜１０の炭化水素基を表し、ｎは０〜２の整数を表す）で表される請求項１又は２記載の不斉反応用触媒。
【請求項５】
前記テトラオールは式III
【化３】
0004663629.tif 000028
（式中、Ｒ３は水素原子、ハロゲン原子、炭素数４以下のパーフルオロアルキル基、又は炭素数４以下のアルキル基若しくはアルコキシ基を表し、Ｒ４は水素原子または炭素数１〜１０の炭化水素基を表す）で表される請求項１又は２記載の不斉反応用触媒。
【請求項６】
請求項１乃至５のいずれかに記載の不斉反応用触媒を用い、Ｒ５Ｒ６Ｃ＝Ｎ−Ｚ（Ｒ５、Ｒ６は水素原子、炭化水素基、アルコキシカルボニル基、及び官能基を有する炭化水素基の群から選ばれ、Ｒ５とＲ６は同一でなく、Ｚはアリール基又はアシルアミノ基を表す）で表される反応基質と求核剤とを求核付加反応させる光学活性化合物の製造方法。
【請求項７】
前記反応基質が式IV
【化４】
0004663629.tif 000029
（式中、Ｒ７、Ｒ８は水素原子、炭化水素基、及び官能基を有する炭化水素基の群から選ばれ、Ｒ７とＲ８は同一でなく、Ｒ９は水素原子またはトリフルオロメチル基を表す）で表されるイミンである請求項６記載の光学活性化合物の製造方法。
【請求項８】
前記反応基質が式V
【化５】
0004663629.tif 000030
（式中、Ｒ７、Ｒ８は水素原子、炭化水素基、及び官能基を有する炭化水素基の群から選ばれ、Ｒ７とＲ８は同一でなく、Ｒ１４は水素原子又は電子吸引性の置換基である）で表されるベンゾイルヒドラゾンである請求項６記載の光学活性化合物の製造方法。
【請求項９】
前記求核剤が式VI
【化６】
0004663629.tif 000031
（式中、Ｒ１０、Ｒ１１はそれぞれ水素原子、脂肪族炭化水素基、芳香族炭化水素基、アルキルオキシ基、アリールオキシ基、及びシリルオキシ基の群から選ばれる１種を表し、Ｒ１２は水素原子、脂肪族炭化水素基、アルキルオキシ基、アリールオキシ基、アリールチオ基、及びアルキルチオ基の群から選ばれる１種を表し、Ｒ１３はそれぞれ同じでも異なっていてもよい炭化水素基を表す）で表されるケイ素エノラートである請求項６乃至８のいずれかに記載の光学活性化合物の製造方法。
【請求項１０】
反応系にイミダゾール誘導体を添加して行う、請求項６〜９のいずれかに記載の光学活性化合物の製造方法。
【請求項１１】
反応系に合成結晶性ゼオライトを添加して行う、請求項６〜１０のいずれかに記載の光学活性化合物の製造方法。
【請求項１２】
請求項１乃至５のいずれかに記載の不斉反応用触媒を用い、反応基質と求核剤とを求核付加反応させる光学活性化合物の製造方法。
【請求項１３】
前記反応基質がエポキシドで、前記求核剤が窒素化合物であり、光学活性化合物が含窒素化合物である請求項１２に記載の光学活性化合物の製造方法。
【発明の詳細な説明】
【技術分野】
【０００１】
本発明は、不斉反応用触媒、及び光学活性化合物の製造方法に関し、より詳細には求核付加に用いる不斉反応用触媒、及び光学活性化合物の製造方法に関する。
【背景技術】
【０００２】
ルイス酸触媒存在下、Ｃ＝Ｏ結合やＣ＝Ｎ結合（例えば、イミン（Ｃ＝Ｎ）やヒドラゾン（Ｃ＝Ｎ−Ｎ）化合物）の不飽和炭素への不斉求核付加反応は、新たな炭素―炭素結合を形成し、種々の光学活性化合物の合成に利用できることから、数多く検討されている。そして、上記触媒としては、選択性や安定性の観点から、種々の金属や配位子が用いられている。
一方、本発明者らは、既にジルコニウムアルコキシドとビナフトール誘導体から調製される不斉触媒を開発し、不斉ディールス・アルダー反応（例えば、特許文献１参照）、アルドール反応（例えば、特許文献２および非特許文献１参照）、イミノアルドール反応（例えば、特許文献３参照）を高い収率と立体選択性で行えることを報告している。
又、ニオブは高いルイス酸性を有すると期待されており（例えば、非特許文献２参照）、ニオブを触媒に用いて不斉ディールス・アルダー反応を行った例が報告されている（例えば、非特許文献３参照）。【０００３】
【特許文献１】特開２００２−３５６４５４号公報
【特許文献２】特願２０００−０６７８３３号公報
【特許文献３】特開平１１−３３４０７号公報
【非特許文献１】山下、他、Ｊ．Ａｍ．Ｃｈｅｍ．Ｓｏｃ．，２００２年、第１２４巻、ｐ３２９２
【非特許文献２】シー・アンドレード（C. Andrade）、「テトラヘドロン・レターズ（Tetrahedron Lett）」、２００１年、第４２巻、ｐ．６４７３
【非特許文献３】ジェー・ホワース（J. Howarth）、ケー・ギレスピー（K. Gillespie）、「モレキュールズ（Molecules）」、２０００年、第５巻、ｐ．９９３
【発明の開示】
【発明が解決しようとする課題】
【０００４】
しかしながら、より効率的な反応、即ち、１００％に近い化学収率、１００％に近い立体選択性の反応の開発を目的として、有効な触媒系が求められている。
本発明は、上記の課題を解決するためになされたものであり、収率及び立体選択性に優れ、取扱いも容易な不斉反応用触媒、及びそれを用いた光学活性化合物の製造方法を提供することを目的とする。
【課題を解決するための手段】
【０００５】
本発明者らは、ニオブ化合物と光学活性なビナフトール構造を含むトリオール又はテトラオールとを混合することで、ニオブを活性中心金属とする不斉触媒が得られることを見出した。そして、この触媒は、不斉求核付加反応に適することも見出した。【０００６】
すなわち、本発明の不斉反応用触媒は、５価のニオブ化合物と、（Ｒ）−体又は（Ｓ）−体からなり光学活性なビナフトール誘導体を含むトリオールとを混合してなり、不斉マンニッヒ型反応、エポキシドの不斉開環反応、不斉アリル化反応、不斉シアノ化反応、又は不斉アルキル化反応に用いられる。前記ニオブ化合物が式ＮｂＸ５（式中、Ｘはアルコキシドまたはハロゲン原子を表す）で表されることが好ましい。
【０００７】
前記トリオールは式Ｉ
【化１】
0004663629.tif 000002
で表され（式中、Ｙは２価の炭化水素基を表し、Ｒ１は水素原子、ハロゲン原子、炭素数４以下のパーフルオロアルキル基、又は炭素数４以下のアルキル基若しくはアルコキシ基を表す）、又は、式II
【化２】
0004663629.tif 000003
（式中、Ｒ１は水素原子、ハロゲン原子、炭素数４以下のパーフルオロアルキル基、又は炭素数４以下のアルキル基若しくはアルコキシ基を表し、Ｒ２は水素原子または炭素数１〜１０の炭化水素基を表し、ｎは０〜２の整数を表す）で表されることが好ましい。【０００８】
前記テトラオールは式III
【化３】
0004663629.tif 000004
（式中、Ｒ３は水素原子、ハロゲン原子、炭素数４以下のパーフルオロアルキル基、又は炭素数４以下のアルキル基若しくはアルコキシ基を表し、Ｒ４は水素原子または炭素数１〜１０の炭化水素基を表す）で表されることが好ましい。【０００９】
本発明の光学活性化合物の製造方法は，前記不斉反応用触媒を用い、Ｒ５Ｒ６Ｃ＝Ｎ−Ｚ（Ｒ５、Ｒ６は水素原子、炭化水素基、アルコキシカルボニル基、及び官能基を有する炭化水素基の群から選ばれ、Ｒ５とＲ６は同一でなく、Ｚはアリール基又はアシルアミノ基を表す）で表される反応基質と求核剤とを求核付加反応させる。【００１０】
前記反応基質が式IV
【化４】
0004663629.tif 000005
（式中、Ｒ７、Ｒ８は水素原子、炭化水素基、及び官能基を有する炭化水素基の群から選ばれ、Ｒ７とＲ８は同一でなく、Ｒ９は水素原子またはトリフルオロメチル基を表す）で表されるイミンであること、又は、前記反応基質が式V
【化５】
0004663629.tif 000006
（式中、Ｒ７、Ｒ８は水素原子、炭化水素基、及び官能基を有する炭化水素基の群から選ばれ、Ｒ７とＲ８は同一でなく、Ｒ１４は水素原子又は電子吸引性の置換基である）で表されるベンゾイルヒドラゾンであることが好ましい。
前記求核剤が式VI
【化６】
0004663629.tif 000007
（式中、Ｒ１０、Ｒ１１はそれぞれ水素原子、脂肪族炭化水素基、芳香族炭化水素基、アルキルオキシ基、アリールオキシ基、及びシリルオキシ基の群から選ばれる１種を表し、Ｒ１２は水素原子、脂肪族炭化水素基、アルキルオキシ基、アリールオキシ基、アリールチオ基及びアルキルチオ基の群から選ばれる１種を表し、Ｒ１３はそれぞれ同じでも異なっていてもよい炭化水素基を表す）で表されるケイ素エノラートであることが好ましい。【００１１】
前記光学活性化合物の製造方法において、反応系にイミダゾール誘導体及び／又は合成結晶性ゼオライトを添加して行うことが好ましい。【００１２】
本発明の光学活性化合物の製造方法は、前記不斉反応用触媒を用い、反応基質と求核剤とを求核付加反応させるものである。
前記反応基質がエポキシドで、前記求核剤が窒素化合物であり、光学活性化合物が含窒素化合物であることが好ましい。
【発明の効果】
【００１３】
本発明によれば、収率及び立体選択性に優れ、取扱いも容易な不斉反応用触媒が得られる。又、この触媒を用いると、不斉求核付加反応により光学活性化合物を効率よく製造できる。また反応が温和であるため、副反応をおこさずに選択的な反応が可能になる。
【発明を実施するための最良の形態】
【００１４】
以下本発明の実施形態について説明する。
<ニオブ化合物>
本発明で用いる５価のニオブ化合物としては、特に制限されないが、例えばＮｂＸ５（式中、Ｘはアルコキシドまたはハロゲン原子を表す）で表されるものが挙げられる。このうち、取扱いの容易なことから、Ｎｂアルコキシド（特にＮｂメトキシド又はＮｂエトキシド）が好ましい。【００１５】
<ビナフトール構造を含むトリオール>
本発明で用いられるビナフトール構造を有するトリオールは、(Ｒ)−体または(Ｓ)−体の光学活性ビナフトール骨格を含む。このものを上記ニオブ化合物と混合することにより、中心金属であるニオブ原子に光学活性トリオールが酸素原子を介して結合した構造を有する不斉ニオブ触媒が形成される。ここで、ビナフトール環とフェノールとの距離およびフェノール上の置換基を微調整することにで、様々な求核付加反応に対する最適な触媒構造を構築できる。【００１６】
前記トリオールとしては、例えば式I
【化１】
0004663629.tif 000008
で表される（式中、Ｙは２価の炭化水素基を表し、Ｒ１は水素原子、ハロゲン原子、炭素数４以下のパーフルオロアルキル基、又は炭素数４以下のアルキル基若しくはアルコキシ基を表す）化合物や、式II
【化２】
0004663629.tif 000009
（式中、Ｒ１は水素原子、ハロゲン原子、炭素数４以下のパーフルオロアルキル基、又は炭素数４以下のアルキル基若しくはアルコキシ基を表し、Ｒ２は水素原子または炭素数１〜１０の炭化水素基を表し、ｎは０〜２の整数を表す）で表される化合物を好適に用いることができる。具体的には、Ｒ２は水素、メチル基、t-ブチル、イソプロピル基の群から選ばれる１種、ｎ＝０または１のものが例示できる。【００１７】
<ビナフトール構造を含むテトラオール>
本発明で用いられるビナフトール構造を有するテトラオールは、(Ｒ)−体または(Ｓ)−体の光学活性ビナフトール骨格を含む。このものを上記ニオブ化合物と混合することにより、中心金属であるニオブ原子に光学活性テトラオールが酸素原子を介して結合した構造を有する不斉触媒が形成される。ここで、ビナフトール環とフェノールとの距離およびフェノール上の置換基を微調整することにで、様々な求核付加反応に対する最適な触媒構造を構築できる。【００１８】
前記テトラオールとしては、例えば式III
【化３】
0004663629.tif 000010
（式中、Ｒ３は水素原子、ハロゲン原子、炭素数４以下のパーフルオロアルキル基、又は炭素数４以下のアルキル基若しくはアルコキシ基を表し、Ｒ４は水素原子または炭素数１〜１０の炭化水素基を表す）で表される化合物を好適に用いることができる。Ｒ３としては、例えば水素、メチル基、ヨウ素が挙げられ、Ｒ４としては、例えば水素、メチル基、t-ブチル、イソプロピル基が挙げられる。【００１９】
前記トリオール又はテトラオールにおけるナフタレン環が有する置換基(上記したＲ１及びＲ３)としては、水素原子、ハロゲン、アルキル基、パーフルオロアルキル基を例示することができる。このような置換基を有するビナフトール構造としては、具体的には、例えば３，３'−ジブロモ−、６，６'−ジブロモ−、３，３'−ジブロモ−６，６'−ジヨード−、３，３'−メチル−、６，６'−ジメチル−、３，３'，６，６'−テトラヨード−１，１'−ビ−２−ナフトールを挙げることができる。
ナフタレン環上の置換基の役割は主に電子的な効果と考えられるが、単に配位のし易さに対する影響だけではない。【００２０】
<触媒の調製>
上記ニオブ化合物とトリオール又はテトラオールとの混合割合は、（ニオブ化合物）／（トリオール又はテトラオール）の値で１／１〜１／２が好ましく、１／１〜１／１．３がより好ましい。
上記ニオブ化合物とトリオール又はテトラオールとの混合方法は特に限定されないが、通常、有機溶媒中で上記各成分を混合し、適宜攪拌すればよい。有機溶媒としては、炭化水素やハロゲン化炭化水素などを好適に用いることができ、特に、塩化メチレン、トルエン、又はそれらの混合溶媒が好適である。混合温度に特に制約はないが、室温付近で混合するのが簡便であり、その後、室温からトルエンの沸点の間の温度（好ましくは６０℃付近）で熟成するのが好適である。触媒の熟成時間は、通常３０分から２４時間、好ましくは１〜３時間の範囲である。【００２１】
<その他の成分>
上記ニオブ化合物とトリオール又はテトラオールからなる不斉触媒系に、さらに含窒素化合物を含有させると、触媒特性が良好となる。含窒素化合物としては、ピリジン類（例えばピリジン、2,6-Lutidine, 2,4,6-Collidine等）、キノリン類（例えば、キノリン、イソキノリン）、iPr2NEt,又はイミダゾール類（例えばＮ−メチルイミダゾール）が好ましい。これらの含窒素化合物の含有量は、上記ニオブ化合物と等モル程度とするのが好ましい。これらの含窒素化合物を反応系に加えるタイミングに特に制約はないが、通常、ニオブ化合物を添加する前にトリオール又はテトラオールと混合しておくか、トリオール又はテトラオールとニオブ化合物を混合してから求核剤を加えるまでの間に含窒素化合物を添加するのが好ましい。
又、上記ニオブ化合物とトリオール又はテトラオールからなる不斉触媒系に、さらにモレキュラーシーブ（Molecular Sieves）などの合成結晶性ゼオライトを添加すると触媒特性が向上する。通常、モレキュラーシーブとしては３Ａまたは４Ａが好適である。【００２２】
<反応基質>
以上のようにして調製された本発明の触媒は、種々の不斉反応に対しても触媒作用を有する。例えば、不斉マンニッヒ型反応、エポキシドの不斉開環反応、不斉アリル化反応、不斉マイケル反応、不斉シアノ化反応、不斉アルキル化反応を例示することができる。特に不斉マンニッヒ型反応、エポキシドの不斉開環反応に本発明の触媒を用いると、高収率、高立体選択的に目的物を得ることができる。【００２３】
<マンニッヒ型反応>
本発明の触媒は、イミンまたはアシルヒドラゾンを求電子剤（反応基質）とし、ケイ素エノラートを求核剤とするマンニッヒ型反応反応
【化７】
0004663629.tif 000011
において特に有効である。この不斉反応によって、光学活性な含窒素化合物が生成する。【００２４】
（反応基質）
反応基質としては、Ｒ５Ｒ６Ｃ＝Ｎ−Ｚ（Ｒ５、Ｒ６、Ｚは前記と同義であり、Ｒ５≠Ｒ６である）で表される化合物が挙げられる。これらの化合物は、イミン及びアシルヒドラゾンで総称される。
これらの化合物を用いる場合、上記式中の置換基Ｒ５、Ｒ６は、飽和又は不飽和の脂肪族炭化水素基、芳香族炭化水素基及びアルコキシカルボニル基の群からそれぞれ選ばれる１種であり、これらの置換基には、付加反応を阻害することがないヘテロ原子や官能基を有していても良い。各種イミン化合物は、対応するカルボニル化合物とアミンから既知の方法に従って容易に合成することができる。同様に、各種アシルヒドラゾン化合物は、対応するカルボニル化合物とアシルヒドラジンから既知の方法に従って容易に合成することができる。【００２５】
（求核剤）
求核剤としては、ケイ素エノラートを好適に使用することができる。上記化合物（Ｒ５Ｒ６Ｃ＝Ｎ−Ｚ）を反応基質とした場合、ケイ素エノラートを求核剤に用いると、光学活性なβ―アミノカルボニル化合物や、光学活性なβ―アミノ酸誘導体が得られる。【００２６】
（イミン）
ここで用いられるイミンは、アルデヒドまたはケトンと１級アミンとから脱水反応により得られるが、例えば式IV
【化４】
0004663629.tif 000012
（式中、Ｒ７、Ｒ８は水素原子、炭化水素基、及び官能基を有する炭化水素基の群から選ばれ、Ｒ７とＲ８は同一でなく、Ｒ９は水素原子またはトリフルオロメチル基を表す）で表されるイミンを好適に用いることができる。Ｒ７、Ｒ８の何れか１方が水素原子であるイミンが特に好適である。【００２７】
（ケイ素エノラート）
ケイ素エノラートとしては、式VI
【化６】
0004663629.tif 000013
（式中、Ｒ１０、Ｒ１１はそれぞれ水素原子、脂肪族炭化水素基、芳香族炭化水素基、アルキルオキシ基、アリールオキシ基、及びシリルオキシ基の群から選ばれる１種を表し、Ｒ１２は水素原子、脂肪族炭化水素基、アルキルオキシ基、アリールオキシ基、アリールチオ基及びアルキルチオ基の群から選ばれる１種を表し、Ｒ１３はそれぞれ同じでも異なっていてもよい炭化水素基を表す）で表されるものが例示される。
特に、Ｒ１３として、それぞれ同じでも異なっていてもよいメチル基、エチル基、イソプロピル基、フェニル基、及び第３ブチル基の群から選ばれる１種以上を用いたケイ素エノラートが好ましい。【００２８】
上記イミン及びケイ素エノラートを用い、本発明の不斉ニオブ触媒を用いることにより、例えば以下の構造
【化９】
0004663629.tif 000014
を有するβ―アミノカルボニル化合物が得られる。なお、この生成物は、Ｒ１２が炭化水素基の場合はβ−アミノエステルであり、Ｒ１２がチオアルコキシ基の場合はβ−アミノチオエステルとなる。また、生成物中の２−ヒドロキシフェニルアミノ基は、ＣＡＮ（硝酸セリウムアンモニウム）を用いた定法によりアリール基を除去して１級のアミノ基に変換できる。【００２９】
（ヒドラゾン）
上記イミンの代わりに、式V
【化５】
0004663629.tif 000015
（式中、Ｒ７、Ｒ８は水素原子、炭化水素基、及び官能基を有する炭化水素基の群から選ばれ、Ｒ７とＲ８は同一でなく、Ｒ１４は水素原子又は電子吸引性の置換基である）で表されるベンゾイルヒドラゾンを反応基質に用いてもよい。この場合、Ｒ７、Ｒ８の何れかが水素原子であることが好ましい。また、Ｒ１４に用いる電子吸引性の置換基として、例えばハロゲン、炭素数４以下のパーフルオロアルキル基、ニトロ基が挙げられる。【００３０】
上記ベンゾイルヒドラゾン及びケイ素エノラートを用い、本発明の不斉ニオブ触媒を用いることにより、例えば以下の構造
【化１１】
0004663629.tif 000016
を有するβ−ヒドラジノカルボニル化合物が得られる。この生成は、ヨウ化サマリウムやラネーニッケルを用いてＮ−Ｎ結合を切断することにより１級のアミノ基に変換できる。【００３１】
<求核剤によるエポキシドの開環反応>
本発明の触媒は、エポキシドを求電子剤とした求核剤によるエポキシドの開環反応にも適用できる。エポキシドの構造に特に制限はなく、例えば、式VII
【化１２】
0004663629.tif 000017
（Ｒ１５、Ｒ１６は水素原子、脂肪族炭化水素基、芳香族炭化水素基、及び置換基を有する炭化水素基の群から選ばれ、何れか一方は水素原子ではなく、Ｒ１５とＲ１６とが５員環以上の環状構造を形成していてもよい）で表される化合物が挙げられる。
また、求核剤としては、アジド、１級アミン、２級アミン、チオール、シアン化合物、ハロゲン化物などが挙げられるが、中でも含窒素化合物が好ましく、特に１級又は２級のアミンが好ましい。【００３２】
<その他の求核付加反応>
また本発明の不斉反応用触媒は、上記イミンや上記アシルヒドラゾンに対し、ケイ素エノラート以外の求核剤による不斉求核付加反応も可能である。例えば、アリルトリクロロシランなどのアリル化剤による不斉アリル化反応、トリアルキルスズシアニドなどによる不斉シアノ化反応が実施可能である。【００３３】
<反応方法>
上記触媒に反応基質を添加する方法は特に制限はないが、一般的には、溶媒に溶かしたイミン類等を上記触媒を含む溶液に滴下し、続いて求核剤を含む溶液を滴下すればよい。反応温度は反応基質の種類によって適宜選択できるが、通常は−７８℃〜室温、好ましくは−４０℃〜０℃とすることができる。反応時間は通常１〜７２時間で終了する。上記した触媒や溶媒を含む反応系における反応基質の濃度は好ましくは０．０５〜１．０mol/l、より好ましくは０．１〜０．５mol/l程度である。
例えば、上記触媒を含む溶液に対し、塩化メチレンなどのハロゲン化炭化水素に溶解したイミン化合物等を滴下し、続いて求核剤を滴下すればよい。【００３４】
上記反応基質に上記求核剤を求核付加させる不斉反応に本発明の触媒を用いると、非常に高いエナンチオ選択性を示し、様々なアミン化合物を高い光学純度で得ることが可能である。例えばマンニッヒ型反応では、多くの場合、化学収率７０％以上、光学収率９０％以上でβ−アミノケトン類（上式の右式VI）を得ることができる。なお、上式の左辺の化合物III,Vは、それぞれ既に化学式で示したイミン化合物及びケイ素エノラートであり、Ｒ３等の記号の示す内容も既に述べたとおりである。【００３５】
以下、本発明を実施例、比較例に基づいて具体的に説明するが、本発明はそれらによって限定されるものではない。
NMRスペクトル（１Ｈ−ＮＭＲ、１３Ｃ−ＮＭＲ）は、JEOL-LA300、JEOL-LA400またはJEOL-LA500（日本電子社製のＮＭＲ（核磁気共鳴）装置）で測定した。旋光度は、JASCO P-1010（日本分光社製の旋光度計）で測定した。ＩＲスペクトルは、JASCO FT/IR-610（日本分光社製のフーリエ変換ＩＲ装置）で測定した。
１．実験例１
【実施例１】
【００３６】
<ビナフトール構造を含むトリオールの調製>
図１に示す反応式に従って、トリオールを調製した。
まず、水素化ナトリウム（２７５ｍｍｏｌ）をテトラヒドロフラン（ＴＨＦ）（１２０ｍｌ）に懸濁させ、そこにＴＨＦ（３０ｍｌ）に溶解した２−イソプロピルフェノール（１１１ｍｍｏｌ、図１の記号Ａ１）を０℃で滴下した。３０分後、この溶液にクロロメチルメチルエーテル（２２１ｍｍｏｌ）を加え、室温まで加温した後、メタノールと水を続けて加え反応を停止した。水相をエーテルで抽出し、有機相を併せて水、飽和食塩水の順に続けて洗浄し、無水硫酸ナトリウム上で乾燥した。乾燥剤を濾別後、溶媒を減圧留去した後、残渣をシリカゲルクロマトグラフィーで精製することにより１−イソプロピル−２−メトキシメトキシベンゼン（１７．５ｇ、収率８７％、図１の記号Ａ２）を得た。【００３７】
上記化合物Ａ２を１５．０ｇ（８３ｍｍｏｌ）と、テトラメチルエチレンジアミン（ＴＭＥＤＡ）１５ｍｌ（１００ｍｍｏｌ）とを含むＴＨＦ（２００ｍｌ）溶液に、−７８℃でｎ−ブチルリチウムのヘキサン溶液（１００ｍｍｏｌ／６４ｍｌ）を滴下した。３０分後、溶液を０℃に昇温して１時間攪拌後、再び−７８℃に冷却し、ジメチルホルムアミド（ＤＭＦ）（１５．９ｍｌ）をゆっくりと滴下した。反応溶液をゆっくりと室温まで昇温した後、塩化アンモニウムの飽和水溶液に注いだ。水相をエーテルで抽出し、有機相を併せて水、飽和食塩水の順に続けて洗浄し、無水硫酸ナトリウム上で乾燥した。溶媒を減圧留去した後、残渣をシリカゲルクロマトグラフィーで精製することにより、３−イソプロピル−２−メトキシメトキシベンズアルデヒド（１２．９ｇ、収率７４％、図１の記号Ａ３）を得た。
１Ｈ−ＮＭＲ  δ（ｐｐｍ）：1.25 (d, 6H, J = 7.1 Hz), 3.40 (sept, 1H, J = 7.1 Hz), 3.60 (s, 3H), 5.06 (s, 1H), 7.25 (dd, 1H, J = 7.6, 7.6 Hz), 7.55 (dd, J = 1.7, 7.6 Hz), 7.70 (dd, 2H, J = 1.7, 7.6 Hz), 10.3 (s, 1H)【００３８】
次に、（Ｒ）−２，２'−ビス（メトキシメトキシ）−［１，１'］ビナフタレン（３７．９ｍｍｏｌ、図１の記号Ａ４）とＴＭＥＤＡ（４５．１ｍｍｏｌ）とを含むエーテル（４５０ｍｌ）溶液に、室温下でｎ−ブチルリチウムのヘキサン溶液（４５．４ｍｍｏｌ／２８．９ｍｌ）を滴下した後、１．５時間攪拌した。混合溶液を−７８℃に冷却後、上記生成物Ａ３（２２．９ｍｍｏｌ）のエーテル（５０ｍｌ）溶液を滴下した。反応溶液をゆっくりと室温まで昇温した後、塩化アンモニウムの飽和水溶液に注いだ。水相をエーテルで抽出し、有機相を併せて水、飽和食塩水の順に続けて洗浄し、無水硫酸ナトリウム上で乾燥した。溶媒を減圧留去した後、残渣をシリカゲルクロマトグラフィーで精製することにより、ほぼ１：１のジアステレオマー比で、（Ｒ）−（２，２'−ジメトキシメトキシ−［１，１'］ビナフチル−３−イル）−（３−イソプロピル−２−メトキシメトキシフェニル）メタノール（１２．２ｇ、収率９２％、図１の記号Ａ５）を得た。【００３９】
上記生成物Ａ５（２１ｍｍｏｌ）のジクロロメタン（３５ｍｌ）溶液に、氷冷下にて塩化水素飽和メタノール（３５ｍｌ）を加え、２時間攪拌した。この混合溶液に炭酸水素ナトリウムの飽和水溶液を加えて中和し、有機相を分離した。水相を塩化メチレンで抽出し、上記有機相を併せて、水、飽和食塩水の順に続けて洗浄し、無水硫酸ナトリウム上で乾燥した。乾燥剤を濾別し、溶媒を減圧留去した。得られた粗アルコール（図１のＡ６）の塩化メチレン（１００ｍｌ）溶液に、トリエチルシラン（６７．２ｍｍｏｌ）を０℃で加え、続いて、三フッ化ホウ素−エーテル錯体（６５．１ｍｍｏｌ）を滴下した。反応溶液を一晩攪拌した後、炭酸水素ナトリウムの飽和水溶液を加えて中和し、有機相を分離した。残った水相を塩化メチレンで抽出し、上記有機相を併せて、水、飽和食塩水の順に続けて洗浄し、無水硫酸ナトリウム上で乾燥した。乾燥剤を濾別後、溶媒を減圧留去し、残渣をシリカゲルクロマトグラフィーで精製することにより、最終生成物である［（Ｒ）−３−（２−ヒドロキシ−３−イソプロピルベンジル）−［１，１'］ビナフタレン２，２'−ジオール］（６．２ｇ、収率６８％、２段階、図１の記号Ａ７）を得た。
１Ｈ−ＮＭＲ  δ（ｐｐｍ）：1.20 (d, 3H, J = 6.8 Hz), 1.21 (d, 3H, J = 6.8 Hz), 3.25 (sept, 1H, J = 6.8 Hz), 4.17 (d, 1H, J = 14.9 Hz), 4.23 (d, 1H, J = 14.9 Hz), 4.99 (s, 1H), 5.63 (s, 1H), 6.51 (s, 1H), 6.90 (ddd, 1H, J = 1.5, 7.5, 7.5 Hz), 7.08-7.11 (m, 3H), 7.22-7.39 (m, 6H), 7.82 (d, 1H, J = 7.9 Hz), 7.88 (d, 1H, J = 8.1 Hz), 7.93 (s, 1H), 7.97 (d, 1H, J = 9.0 Hz)
13C NMR (CDCl3)   δ（ｐｐｍ）: 22.5, 22.8, 27.1, 31.5, 108.9, 110.6, 111.5, 117.8, 120.6, 124.1, 124.2, 124.5, 124.9, 125.9, 127.1, 127.6, 128.0, 128.1, 128.5, 128.8, 129.5, 129.9, 131.2, 131.7, 132.2, 133.2, 135.8, 149.8, 151.1, 152.8.【００４０】
[α]D30 ：+63.6 (c 1.03, THF)
Mp ：205-206℃. 
IR (KBr) ：3505, 3425, 1592, 1463, 820, 751 cm-1【００４１】
<不斉反応触媒によるアルジミンへのケテンシリルアセタールの不斉求核付加反応>
１．反応基質及び求核剤の調製
反応基質であるイミン（アルジミン）は、ジクロロメタンとＤＭＦ中、モレキュラーシーブの共存下で、対応するアルデヒドとフェノール誘導体から調製したものを再結晶して使用した。シリルエノラート（シリルエノールエーテル）は、文献（S. Kobayashi）ら、「シリルエノールエーテル・イン・サイエンス・オブ・シンセシス、ホーベンーウェイル・メソード・オブ・モレキュラー・トランスフォーメーションズ（"Silyl Enol Ethers" , in Science of Synthesis, Houben-Weyl Methods of Molecular Transformations）、ゲオルグ・シーメ・フェルラグ  シュツッツガルト（George Thieme Verlag: Stuttgart）、２００２年、４巻、ｐ．３１７」記載の方法により合成した。反応に用いた他の試薬はすべて市販品を購入し、必要に応じて精製して使用した。反応はすべてアルゴン雰囲気下で実施した。【００４２】
２．触媒の調製
上記生成物Ａ６（７２μｍｏｌ）をトルエン（０．３ｍｌ）に溶解し、この溶液にＮ−メチルイミダゾール（ＮＭＩ）（６０μｍｏｌ）のトルエン（０．６ｍｌ）溶液を室温で加え、攪拌した。この混合溶液を１０分攪拌後、Ｎｂ(ＯＭｅ)５（６０μｍｏｌ）のトルエン（０．６ｍｌ）溶液を加え、全体を６０℃に加温し３時間攪拌した後、室温に戻した。モレキュラーシーブ３Ａ（１００ｍｇ）入りのフラスコに、この混合溶液を移し、塩化メチレン（０．５ｍｌ）で洗浄後、３０分間攪拌した。【００４３】
３．不斉反応
上記溶液を−２０℃に冷却し、式IV
【化４】
0004663629.tif 000018
で表されるイミン（０．６ｍｍｏｌ、但し、Ｒ７＝Ｐｈ、Ｒ８＝Ｈ、Ｒ９＝Ｈ）の塩化メチレン（０．７ｍｌ）溶液と、これに続けて式VI
【化６】
0004663629.tif 000019
で表されるシリルエノールエーテル（０．７２ｍｍｏｌ、但し、Ｒ１０＝Ｒ１１＝Ｒ１３＝Ｍｅ、Ｒ１２＝ＯＭｅ）の塩化メチレン（０．３ｍｌ）溶液を加えた。４８時間攪拌後、反応溶液に炭酸水素ナトリウム飽和水溶液を注いで反応を停止し、水相を塩化メチレンで抽出した。上記水相と有機相を併せて、水、飽和食塩水の順に続けて洗浄し、無水硫酸ナトリウム上で乾燥した。乾燥剤を濾別し、溶媒を減圧留去した。得られた粗成生物は、調製用薄層クロマトグラフィー（ベンゼン／酢酸エチル＝９／１）を用いて精製し、
【化９】
0004663629.tif 000020
で表されるアミノケトン誘導体（生成物）を得た（収率８６％、但し、Ｒ７〜Ｒ１２＝は上記式IV, VIにおけるのと同一、化９においてベンゼン環に結合しているのはメトキシ基でなく水酸基）。生成物の不斉収率（９９％ｅｅ）は、キラルカラムを用いたＨＰＬＣ（高速液体クロマトグラフィー）で決定した。【００４４】
生成物の各種物性
名称： (S)-メチル 2,2'-ジメチル-3-(2-ヒドロキシフェニル)アミノ-3-フェニルプロピオネート
IR (KBr) ：3401, 1709, 1611, 1514, 1453, 1391 cm-1.
1H NMR (CDCl3): δ(ppm)： 1.21 (s, 3H), 1.24 (s, 3H) 3.68 (s, 3H), 4.57 (s, 1H), 6.36-6.76 (m, 4H), 7.21-7.28 (m, 5H).
13C NMR (CDCl3): δ 19.9, 24.2, 47.3, 52.1, 64.3, 113.2, 114.1, 117.6, 120.8, 127.3, 127.9, 128.3, 135.6, 138.9, 144.0, 178.0. 
HPLC（Daicel Chiralpak＝AD, ヘキサン /iPrOH = 9/1,flow rate =1.0 ml/min, tR=9.3 min (3R), tR=16.0 min (3S). Anal. Calcd for C18H21NO3: C, 72.22; H, 7.07; N, 4.68. found: C, 72.28; H, 7.20; N, 4.62. 
HRMS: Calcd for C18H21NO3 (M+) 299.1522, found 299.1497.  
生成物の (S)- 体の絶対配置（Absolute configuration ） ：対応する樟脳酸エステルのＸ線結晶構造解析によって決定 【００４５】
<実施例２〜１０>
上記式IV,VIの各化合物において、Ｒ７〜Ｒ13＝を表１に示すものに変えたものを用いたこと以外は、実施例１とまったく同様にして反応を行った。得られた反応物の化学収率及び不斉収率を表１に示す。【００４６】
【表１】
0004663629.tif 000021
【００４７】
表１から明らかなように、各実施例の場合、反応基質にイミンを用い、求核剤としてシリルエノラートを用いた不斉求核付加反応により、９０％程度の高い不斉収率で、対応するβ−アミノケトン誘導体を得られた。これより、イミンに対する高エナンチオ選択的な求核付加反応が可能であることがわかった。【００４８】
なお、実施例２〜１０で得られた反応物（アミノケトン誘導体）の物性値を以下に示す。【００４９】
<実施例２>
(S)-メチル 3-(4-クロロフェニル)-2,2'-ジメチル -(2-ヒドロキシフェニル)アミノプロピオネート 
IR (KBr) 3359, 1709, 1610, 1513, 1490, 1450, 738 cm-1.
1H- NMR (CDCl3): δ(ppm) 1.19 (s, 3H), 1.24 (s, 3H) 3.67 (s, 3H), 4.55 (s, 1H), 6.31-6.90 (m, 4H), 7.22 (s, 2H), 7.35 (s, 2H).
13C- NMR (CDCl3): δ(ppm) 20.2, 24.7, 47.3, 52.4, 64.0, 113.3, 114.3, 117.9, 121.1, 128.2, 128.3, 129.7, 133.2, 135.4, 137.7, 144.0, 177.5.
HPLC：測定条件は実施例１と同一、tR =8.3 min (3R), tR=16.7 min (3S). Anal. Calcd for C18H20NO3Cl: C, 64.77; H, 6.04; N, 4.20. found: C, 64.47; H, 6.18; N, 4.01. 
HRMS: Calcd for C18H20NO3Cl (M+) 333.1133, found 333.1109.【００５０】
<実施例３>
メチル 2,2'-ジメチル -3-(2'-ヒドロキシフェニルアミノ)-3-(4'-メトキシフェニル)プロピオネート
IR (neat)： 3420, 2979, 1715, 1612, 1510, 1252 cm-1.
1H- NMR (CDCl3): δ(ppm)  1.20 (s, 3H), 1.22 (s, 3H), 3.68 (s, 3H), 3.76 (s, 3H), 4.50 (s, 1H), 6.39 (d, 1H, J = 7.9 Hz), 6.35 (dd, 1H, J = 7.6, 7.6 Hz), 6.62 (dd, 1H, J = 7.6, 7.6 Hz), 6.68 (d, 1H, J = 7.9 Hz), 6.81 (d, 1H, J = 8.5 Hz), 7.19 (d, 1H, J = 8.5 Hz).
13C- NMR (CDCl3): δ(ppm)  20.1, 24.4, 47.5, 52.2, 55.2, 64.2, 113.4, 114.3, 115.3, 117.2, 118.1, 119.7, 121.1, 129.4, 131.0, 135.6, 144.4, 158.8, 177.8.
HPLC：測定条件は実施例１と同一、tR = 11.1 min (3R), tR = 28.0 min (3S).
HRMS: Calcd for C19H23NO4 (M+) 329.1627, found 329.1638.【００５１】
<実施例４>
(S)-メチル 2,2'-ジメチル -3-(2-ヒドロキシフェニル) アミノ 3-(1'-ナフチル)- プロピオネート
1H- NMR (CDCl3): δ(ppm)  1.18 (s, 3H), 1.25 (s, 3H) 3.66 (s, 3H), 5.62 (s, 3H), 6.28-6.62 (m, 4H), 7.22-8.00 (m, 7H).
13C- NMR (CDCl3): δ(ppm)  19.9, 25.1, 48.4, 52.4, 57.8, 113.4, 114.2, 117.9, 121.2, 122.1, 123.2, 125.2, 125.3, 125.4, 126.1, 128.1, 129.1, 133.6, 135.3, 144.1, 177.9.
HPLC: カラムにキラルセル（chiralcel）ＡＤを用いた以外の測定条件は実施例１と同一、tR =14.6 min  (3s), tR=10.6 min (3R.). Anal. Calcd for C22H23NO3: C, 75.62; H, 6.63; N, 4.01. found: C, 75.48; H, 6.49; N, 3.94. 
HRMS: Calcd for C18H20NO3Cl (M+) 349.1678, found 349.1668.【００５２】
<実施例５>
メチル2,2'-ジメチル -3-(2'-ヒドロキシフェニル)アミノ-3-(2'-ナフチル) プロピオネート
IR (KBr) 3418, 1710, 1610, 1510, 1270, 736 cm-1.
1H- NMR (CDCl3): δ(ppm)  1.26 (s, 3H), 1.29 (s, 3H), 3.70 (s, 3H), 4.71 (s, 1H), 6.40-6.70 (m, 4H) 7.41-7.46 (m, 3H), 7.75-7.81 (m, 4H). 
13C- NMR (CDCl3): δ(ppm)  20.2, 24.5, 47.6, 52.3, 64.8, 114.0, 114.3, 118.0, 121.1, 125.8, 126.2, 127.5, 127.6, 127.6, 127.9, 132.9, 133.0, 135.5, 136.7, 144.3, 177.7. 
HPLC：フロー速度0.8 ml/minとした以外の測定条件は実施例１と同一、tR = 12.2 min (3R), tR = 26.0 min (3S).
HRMS: Calcd for C22H23NO3 (M+) 349.1678, found 349.1671. 【００５３】
<実施例６>
(R)- メチル 3-(2-ヒドロキシフェニル) アミノ -2,2'-ジメチル-3-(3'-チエニル) プロピオネート
IR (neat) 3413, 2978, 1708, 1608, 1513, 1446, 1267, 1192, 1140, 741 cm-1.
1H- NMR (CDCl3): δ(ppm)  1.25(s, 3H), 1.28(s, 3H), 3.69(s, 3H), 4.66(s, 1H), 6.46-6.71 (m, 4H), 6.98(d, 1H J = 5.6 Hz), 7.06(s, 1H), 7.21(s, 1H).
13C- NMR (CDCl3): δ(ppm)  20.4, 24.1, 47.2, 52.2, 61.2, 114.5, 115.1, 118.9, 121.1, 122.9, 125.2, 127.3, 135.3, 140.7, 145.0, 177.7.
HPLC：測定条件は実施例１と同一、tR = 9.2 min (3S), tR = 14.3 min (3R).【００５４】
<実施例７>
(S)- メチル 3-(2-ヒドロキシ -5-トリフルオロメチルフェニル)アミノ-2,2'-ジメチル -3-フェニルプロピオネート
IR (neat) 1707, 1612, 1531, 1442, 1336, 1277, 1115 cm-1.
1H- NMR (CDCl3): δ(ppm)  1.22 (s, 3H), 1.26 (s, 3H), 3.70 (s, 3H), 4.54 (s, 1H), 6.58 (s, 1H), 6.75 (d, 2H, J = 7.6 Hz), 7.23-7.32 (m, 5H).
13C- NMR (CDCl3): δ(ppm)  20.2, 24.7, 47.3, 52.4, 64.5, 109.9, 113.6, 115.0, 123.2, 123.5, 127.8, 128.2, 135.7, 138.3, 137.0, 146.6, 177.9.
HPLC：測定条件は実施例１と同一、tR = 5.4min (3R), tR = 7.3 min (3S).
Anal. Calcd for C19H20F3NO3: C, 62.12; H, 5.49; F, 15.11; N, 3.81; O, 13.07. found: C, H, N,【００５５】
<実施例８>
(S)-S-エチル 3-(2-ヒドロキシフェニル)アミノ-3-フェニルプロパンチオ酸
IR (KBr) 3396, 1647, 1608, 1520, 1449, 1362 cm-1.
1H- NMR (CDCl3): δ(ppm)  1.67 (t, 3H, J = 7.3 Hz), 2.83 (q, 2H, J = 7.3 Hz), 2.97 (dd, 1H, J = 5.4, 14.9 Hz), 3.07 (dd, 1H, J = 8.1, 14.9 Hz), 4.81 (dd, 1H, J = 5.4, 8.1 Hz), 6.44-6.71 (m, 4H), 7.20-7.33 (m, 5H). 
13C- NMR (CDCl3): δ(ppm)  14.4, 23.6, 51.4, 56.1, 114.4, 114.6, 118.8, 121.1, 126.3, 127.4, 128.6, 134.9, 141.7, 144.7, 198.4. 
HPLC:カラムにキラルパックＡＳを用い、ヘキサン/iPrOH = 19/1とした以外の測定条件は実施例１と同一、tR=26.6 min (3S), tR=38.2 min (3R). Anal. Calcd for C17H19NO2S: C, 67.74; H, 6.35; N, 4.65. found: C, 68.00; H, 6.54; N, 4.54. 
HRMS: Calcd for C17H19NO2S (M+) 301.1138, found 301.1102.【００５６】
<実施例９>
(S)-S-エチル 3-(4'-クロロフェニル)-3-(2-ヒドロキシフェニル) アミノ-フェニルプロパンチオ酸
IR (neat) 3412, 1665, 1516, 1447, 742 cm-1.
1H- NMR (CDCl3): δ(ppm)  1.21 (t, 2H J = 7.4 Hz), 2.83 (q, 2H J = 7.4 Hz), 2.96 (dd, 1H, J = 5.1, 14.9 Hz), 3.05 (dd, 1H, J = 8.3, 14.9 Hz), 4.78 (dd, 1H, J = 5.1, 8.3 Hz), 6.39-6.78 (m, 4H), 7.22-7.28 (m, 5H). 
13C- NMR (CDCl3): δ(ppm)  14.5, 23.7, 51.2, 55.6, 114.5, 115.0, 119.3, 121.2, 127.8, 128.9, 133.2, 134.6, 140.3, 144.7, 197.8. 
HPLC: 測定条件は実施例１と同一、tR=19.5 min (3S), tR=24.3 min (3R). Anal. Calcd for C17H18NO2ClS: C, 60.80; H, 5.40; N, 4.17. found: C, 60.85; H, 5.60; N, 3.99. 
HRMS: Calcd for C17H18NO2ClS (M+) 335.0747, found 335.9758.【００５７】
<実施例１０>
(S)-S-エチル 3-(2'-フリル)-3-(2-ヒドロキシフェニルl) アミノ-フェニルプロパンチオ酸
IR (neat) 3414, 1674, 1608, 1513, 1448, 1349, 740 cm-1.
1H- NMR (CDCl3): δ(ppm)  1.32 (t, 3H, J = 7.3 Hz), 2.90 (q, 2H, J = 7.3 Hz), 3.06 (dd, 1H, J = 5.4, 15.6 Hz), 3.19 (dd, 1H J = 8.3, 15.6 Hz), 4.81 (dd, 1H J = 5.4, 8.3 Hz), 6.11 (d, 1H J = 3.2 Hz), 6.26 (dd, 1H J = 2.0, 3.2 Hz), 6.60-6.81 (m, 4H), 7.35 (d, 1H J = 2.0 Hz).
13C- NMR (CDCl3): δ(ppm)  14.5, 23.6, 48.0, 50.8, 106.8, 110.2, 115.0, 118.0, 120.7, 121.5, 133.8, 142.0, 147.1, 153.8, 198.2. 
HPLC:測定条件は実施例４と同一、tR=15.4 min (3S), tR=8.9 min (3R).
Anal. Calcd for C15H17NO3S: C, 61.83; H, 5.88; N, 4.81. found: C, 61.86; H, 5.72; N, 4.80.
HRMS: Calcd for C15H17NO3S (M+) 291.0932, found 291.0931.【００５８】
２．実験例２
<ニオブアルコキシドと光学活性四座型ビナフトール構造を用いるエポキシドのアミノリシス反応>
アルゴン雰囲気下、四座配位型ビナフトール構造（光学活性テトラオール）(0.044 mmol) のトルエン (0.40 mL) 溶液に対し、ニオブメトキシド (0.040 mmol) のトルエン (0.60 mL) 溶液を室温下投入し、その後６０℃にて3時間攪拌した後、室温に戻してキラルニオブ錯体のトルエン溶液とした。【００５９】
（四座配位型ビナフトールの合成）
四座配位型ビナフトールの合成スキームを図２に示す。
(R)-3,3'-bis(2-Hydroxy-3-isopropylbenzyl)-[1,1']binaphthalene-2,2'-diol (8a) :
(R)-2,2'-Bis(methoxy-methyloxy)-1,1'-binaphthalene (5.33 g, 14.23 mmol) のTHF溶液 (90 mL) を-78 ℃に冷却し、sec-ブチルリチウムヘキサン溶液 (0.99 M, 28.4 mL, 28.1 mmol) を滴下し30分攪拌した後に0 ℃に昇温し、さらに1時間半攪拌し後に-78 ℃に冷却する。ここに3-isopropyl-2-methoxymethoxybenzaldehyde  (11.85 g, 56.9 mmol)  のTHF溶液 (30 mL) を滴下し、室温に昇温し終夜攪拌する。飽和塩化アンモニウム水溶液を用いて反応を停止し、ジエチルエーテルで抽出し、合わせた有機相を水、飽和食塩水で洗浄した後に無水硫酸ナトリウムで乾燥する。減圧下溶媒を留去し、残渣をシリカゲルクロマトグラフィーにて精製し、
(R)-(2,2'-Dimethoxy-methoxy-[1,1']binaphthyl-3-yl)-(3-isopropyl-2-methoxymethoxyphenyl)methanol as ca. 1:1 diastereomer mixture を得る (11.28 g) 。このアルコール (11.28 g) を塩化メチレン溶液 (120 mL) とし０ ℃にて攪拌し、飽和塩化水素メタノール溶液 (45 mL) を加える。30分攪拌した後に飽和重曹水を用いて反応溶液を中和し、塩化メチレンで抽出する。合わせた有機相を水で洗浄し、減圧下溶媒を留去する。残渣は精製せずに塩化メチレンに (70 mL) 溶解させ、0 ℃に冷却した後にトリエチルシラン (8.62 g, 74.1 mmol) の塩化メチレン溶液 (35 mL) 、三フッ化ホウ素・ジエチルエーテル錯体(10.72 g, 75.5 mmol) の塩化メチレン溶液 (35 mL) を順次滴下し、0 ℃にて終夜攪拌する。飽和重曹水を用いて反応を停止し、塩化メチレンで抽出し、合わせた有機相を水、飽和食塩水で洗浄した後に無水硫酸ナトリウムで乾燥する。減圧下溶媒を留去し、残渣をシリカゲルクロマトグラフィーにて精製し、(R)-3,3'-bis(2-Hydroxy-3-isopropylbenzyl)
-[1,1']binaphthalene-2,2'-diol (5.76 g, 9.89 mmol, 69 % yield in 3 steps)を得た。【００６０】
(R)-3,3'-bis(2-Hydroxy-3-isopropylbenzyl)-[1,1']binaphthalene-2,2'-diol (8a): [?]D20 +38.9 (c 1.01, CHCl3). Mp 115-117 °C. IR (KBr) 3445, 2959, 1626, 1451, 1208, 1088, 753 cm-1. 1H NMR (CDCl3): ? 1.22 (d,12H, J = 8.0 Hz), 3.25 (sept, 2H, J = 6.8 Hz), 4.19 (d, 4H, J = 15.1 Hz), 5.67(s, 2H), 6.46 (s, 2H), 6.91 (dd, 2H, J = 7.5, 7.5 Hz), 7.05 (d, 2H, J = 8.1 Hz), 7.23 (m, 6H), 7.35 (dd, 2H, J = 8.0 Hz), 7.82 (d, 2H, J = 8.01 Hz), 7.93 (s, 2H). 13C NMR (CDCl3): ? 22.6, 22.7, 27.1, 31.5, 111.4, 120.7, 124.0, 124.6, 124.9, 125.8, 127.2, 128.1, 128.1, 128.9, 129.9, 131.3, 132.0, 135.8, 149.9, 151.1. HPLC Daicel Chiralpak AD-H, hexane/iPrOH = 19/1, flow rate = 1.0 mL/min: tR = 13.1 min (S), tR = 15.8 min (R). MS: Calcd for C40H38O4 (M+ + Na+) 605, found 605. 
Anal. Calcd for C15H17NO3S: C, 61.83; H, 5.88; N, 4.81. found: C, 61.86; H, 5.72; N, 4.80.【００６１】
（反応）
図２に示した光学活性テトラオール８ａを用いた。
別の反応容器に乾燥したモレキュラーシーブス 4A(100 mg) を量り取り、アルゴン雰囲気下にした後、上記調製したキラルニオブ錯体トルエン溶液をカニューレを用いてこの反応容器に移し、トルエン (0.50 mL) で洗い込んだ。これを室温下３０分攪拌し、０℃に冷却した。ここにエポキシド（シクロヘキセンオキシド） (0.40 mmol) の塩化メチレン(0.50mL) 溶液と、アミン（アニリン ）(0.48 mmol)の塩化メチレン(0.50mL) 溶液を順次加え、１８時間攪拌した。
この溶液に飽和炭酸水素ナトリウム水溶液 (10 mL) を加え反応を停止し、水相を塩化メチレンで抽出した (10 mL x 3)。有機相を合わせて無水硫酸ナトリウムを用いて乾燥後、減圧下溶媒を留去し、残渣をシリカゲル薄層クロマトグラフィー (Hexane : AcOEt = 4：1) で精製し、対応するα−アミノアルコール（ (1R,2R)-2-(フェニルアミノ)シクロヘキサノール）を得た。この生成物の光学純度を、光学異性体分離カラム (Daicel Chiralpak AD)を用いたHPLCにより決定した。
【化１３】
0004663629.tif 000022
【００６２】
生成物であるα−アミノアルコールの化学収率は定量的であり、不斉収率（以下eeと記す）は７０％であった。【００６３】
３．実験例３
<ビナフトール構造の種類によるエポキシドのアミノリシス反応>
アルゴン雰囲気下、以下のビナフトール構造１ａ〜１ｃ (0.044 mmol) のトルエン (0.40 mL) 溶液に対し、以下のニオブアルコキシド (0.040 mmol) の塩化メチレン(0.60 mL) 溶液（ただし、ビナフトール構造１ｃの場合はトルエン溶液）を室温下投入し、その後６０℃にて3時間攪拌した後、室温に戻してキラルニオブ錯体のトルエン溶液とした。
【化１４】
0004663629.tif 000023
なお、上記化合物１ｃと、８ａとは同一である。【００６４】
別の反応容器に所定の添加剤を投入し、アルゴン雰囲気下にした後、上記調製したキラルニオブ錯体塩化メチレン（トルエン）溶液をカニューレを用いてこの反応容器に移し、塩化メチレン（ただし、ビナフトール構造１ｃの場合はトルエン）(0.50 mL) で洗い込んだ。これを室温下３０分攪拌し、０℃に冷却した。ここにエポキシド（シクロヘキセンオキシド） (0.40 mmol) の塩化メチレン(0.50mL) 溶液と、アミン（アニリン ）(0.48 mmol)の塩化メチレン(0.50mL) 溶液を順次加え、１８時間攪拌した。なお、ビナフトール構造１ａの場合は添加剤を使用せず、ビナフトール構造１ｃの場合は、添加剤として乾燥したモレキュラーシーブス 4A(100 mg) を用いた。
この溶液に飽和炭酸水素ナトリウム水溶液 (10 mL) を加え反応を停止し、水相を塩化メチレンで抽出した (10 mL x 3)。有機相を合わせて無水硫酸ナトリウムを用いて乾燥後、減圧下溶媒を留去し、残渣をシリカゲル薄層クロマトグラフィー (Hexane : AcOEt = 4：1) で精製し、対応するα−アミノアルコール（ (1R,2R)-2-(フェニルアミノ)シクロヘキサノール）を得た。この生成物の光学純度を、光学異性体分離カラム (Daicel Chiralpak AD)を用いたHPLCにより決定した。
【化１５】
0004663629.tif 000024
【００６５】
得られた結果を表２に示す。表において、Ｒはニオブアルコキシドのアルキル基を示す。【００６６】
【表２】
0004663629.tif 000025
【００６７】
表２から明らかなように、ビナフトール構造としてテトラオールを用いた場合にエポキシドの不斉開環の化学収率及び立体選択性が最も高くなった。これより、エポキシドの不斉開環にテトラオールを用いるのが有効であることが判明した。
【図面の簡単な説明】
【００６８】
【図１】ビナフトール構造を含むトリオールを調製するための反応を示す図である。
【図２】ビナフトール構造を含むテトラオールを調製するための反応を示す図である
【図１】
0004663629.tif 000032
【図２】
0004663629.tif 000033